(57)【特許請求の範囲】
【請求項１】
伸縮性の良好な編地によって形成された袋状の本体カバーがフレームに装着された本体部と、
テープ状の基布に多数のエレメントが装着された一対のファスナー要素及び双方の前記ファスナー要素の前記エレメントを相互に歯合させるスライダとからなるスライドファスナーとを備え、
前記スライダを備えた一方の前記ファスナー要素と前記スライダを備えていない他方の前記ファスナー要素との双方が前記本体部の両側端部における前記本体カバーにそれぞれ取り付けられていることを特徴とする簡易間仕切り。
【請求項２】
前記スライダを下から上へスライドさせることによって、前記ファスナー要素間で前記エレメント同士を歯合させ、前記スライダを上から下へスライドさせることによって前記エレメント同士の歯合を解除するようになっている請求項１に記載の簡易間仕切り。
【請求項３】
前記本体部の両側端部にそれぞれ取り付けた前記ファスナー要素を覆うカバー部材が着脱自在に装着されるようになっている請求項１または２に記載の簡易間仕切り。
【発明の詳細な説明】
【０００１】
【技術分野】
この発明は、相互に連結することによって、室内を簡単かつ自由自在に仕切ることのできる簡易間仕切りに関する。
【０００２】
【背景技術】
事務所や応接室等の室内を自由自在に仕切ることができる移動可能な簡易間仕切りとしては、例えば、第２４図及び第２５図に示すようなものがある。この簡易間仕切り５０は、同図に示すように、本体パネル５１における左右両側の端部にそれぞれ外周面が円弧状に湾曲したフレーム５２を取り付け、一方のフレーム５２の外周面には、表面がループ状に形成された面ファスナ５３の一方のファスナー要素５３ａが貼着されていると共に、他方のフレーム５２の外周面には、表面がフック状に形成された面ファスナ５３の他方のファスナー要素５３ｂが貼着されている。
【０００３】
以上のように構成された簡易間仕切り５０は、上述したように、面ファスナ５３を構成するファスナ要素５３ａ、５３ｂが円弧状に突出したフレーム５２の外周面に貼着されているので、第２５図に示すように、左右のフレーム５２に貼着された面ファスナ５３のファスナー要素５３ａ、５３ｂを相互に係合させることによって、任意の角度で自由に連結することができる。
【０００４】
しかしながら、面ファスナー５３が円弧状に湾曲したフレーム５２の外周面に貼着されているため、相互に係合させた状態では、一方のファスナー要素５３ａと他方のファスナー要素５３ｂとが線接触することになるので、接合力が弱く、連結された簡易間仕切り５０同士が外れやすいといった問題がある。
【０００５】
こういった接合力の弱さを改善するために、第２６図に示す簡易間仕切り５０ａのように、フレーム５２の外周面を角形に形成することによって、ファスナー要素５３ａ、５３ｂ同士を面接触させることが考えられるが、このような構成を採用すると、逆に、隣接する簡易間仕切り５０ａ同士を任意の角度で連結することができなくなり、室内を自由自在に仕切ることが難しくなるといった問題がある。
【０００６】
また、連結手段としてこういった面ファスナー５３を用いた簡易間仕切り５０、５０ａでは、表面がフック状に形成された一方のファスナー要素５３ｂが、連結しない一側部に露出する場合があるので、そのような場合は、表面がフック状に形成されたファスナー要素５３ｂに接触することによって衣服等がファスナー要素５３ｂに引っかかり、最悪の場合は、衣服が損傷を受けるといった問題もある。
【０００７】
また、面ファスナー５３によって連結された簡易間仕切り５０、５０ａは、その連結角度を変えることができないので、連結角度を変えようとすると、ファスナー要素５３ａ、５３ｂ間の係合を一旦解除し、所定の角度で再度連結し直すといった面倒な作業を行わなければならない。
【０００８】
そこで、この発明は、十分な接合力を確保することができ、しかも、衣服等に損傷を与えることがなく、任意の角度で連結することができると共に、連結した状態でその角度を自由に変えることができる簡易間仕切りを提供することを目的としている。
【０００９】
【発明の開示】
上記の目的を達成するため、請求項１にかかる発明は、伸縮性の良好な編地によって形成された袋状の本体カバーがフレームに装着された本体部と、テープ状の基布に多数のエレメントが装着された一対のファスナー要素及び双方の前記ファスナー要素の前記エレメントを相互に歯合させるスライダとからなるスライドファスナーとを備え、前記スライダを備えた一方の前記ファスナー要素と前記スライダを備えていない他方の前記ファスナー要素との双方が前記本体部の両側端部における前記本体カバーにそれぞれ取り付けられていることを特徴とする簡易間仕切りを提供するものである。
【００１０】
以上のように、この簡易間仕切りは、スライダを備えた一方の前記ファスナー要素とスライダを備えていない他方の前記ファスナー要素とが本体部の両側端部にそれぞれ取り付けられているので、連結しようとする一方の簡易間仕切りにおけるスライダを備えたファスナー要素と、他方の簡易間仕切りにおけるスライダを備えていないファスナー要素とを、スライダをスライドさせることによってエレメントを歯合させるだけで、簡単かつ確実に連結することができる。
【００１１】
また、連結手段としてスライドファスナーを使用しているので、一旦連結すると外れることがなく、連結手段として面ファスナーを使用した従来の簡易間仕切りのように、衣服が引っかかったり、衣服に損傷を与えたりするおそれもない。
【００１２】
また、連結手段としてスライドファスナーを使用しているので、連結しようとする簡易間仕切り間で、その連結角度が制限を受けることがなく、しかも、連結した状態で自由に連結角度を変えることもできる。従って、面ファスナーによって連結する従来の簡易間仕切りとは異なり、連結された一方の簡易間仕切りを扉のように開閉させることも可能となる。
【００１３】
また、スライダを備えた一方のファスナー要素及びスライダを備えていない他方のファスナー要素の双方を本体部の両側端部にそれぞれ取り付けてあるので、単に２枚の簡易間仕切りを相互に連結するだけでなく、一の簡易間仕切りの一方の側端部に複数の簡易間仕切りを連結することが可能となり、室内を区画するバリエーションが広がるという効果が得られる。
【００１４】
また、前記本体部が、フレームと、このフレームに装着される袋状の本体カバーとを備えており、本体カバーにファスナー要素が取り付けられているので、簡易間仕切り全体が軽量化されると共に、ファスナー要素の取り付けを容易に行うことができ、カバー部材が汚れたときには、簡単に洗濯することができるという効果が得られる。
【００１５】
また、請求項２にかかる発明の簡易間仕切りのように、前記スライダを下から上へスライドさせることによって、前記ファスナー要素間で前記エレメント同士を歯合させ、前記スライダを上から下へスライドさせることによって前記エレメント同士の歯合を解除するようになっているものにあっては、隣接する簡易間仕切りの高さが相互に異なる場合でも、支障なく確実に連結することができる。
【００１６】
また、請求項３にかかる発明の簡易間仕切りのように、前記本体部の両側端部にそれぞれ取り付けた前記ファスナー要素を覆うカバー部材が着脱自在に装着されるようになっているものにあっては、連結されない側端部に取り付けられたファスナー要素をカバー部材によって隠蔽することができるので、使用されないスライドファスナーによって外観が損なわれることがないという効果が得られる。
【００１７】
【発明を実施するための最良の形態】
以下、本発明をより詳細に説述するために、添付の図面に従ってこれを説明する。第１図〜第５図に示すように、この簡易間仕切り１は、フレーム１０及びこのフレーム１０に装着される本体カバー２０からなる本体部２と、この本体部２の両側端部にそれぞれ取り付けられた連結手段３とから構成されている。
【００１８】
前記フレーム１０は、第１０図及び第１１図に示すように、樹脂コーティングパイプによって形成された左右一対の縦フレーム１１と、この縦フレーム１１を、その上端部及び下端部でそれぞれ連結するアルミ押出材によって形成された上下２段の横フレーム１２とを備えており、各横フレーム１２は、縦フレーム１１に形成された貫通孔１１ａに挿通した固定ビス１３を、両端面に形成されたねじ穴１２ａにねじ込んで締め付けることにより、縦フレーム１１に接続されるようになっている。
【００１９】
また、樹脂コーティングパイプによって形成された縦フレーム１１には、その上端部に樹脂キャップ１４が嵌着されていると共に、その下端部には高さ調整を行うためのアジャスタ１５が取り付けられており、横フレーム１２には、その上端面及び下端面に長手方向に延びる浅溝１２ｂ及び深溝１２ｃが形成されている。
【００２０】
前記本体カバー２０は、伸縮性の良好な編地を用いて袋状に縫製したものであり、装着口となる下端開口部には、第６図及び第７図に示すように、幅方向の略全長にわたって、ポリプロピレンによって形成された一対の係止板２１が、下端縁から上方に立ち上がるように、取り付けられている。
【００２１】
従って、この本体カバー２０をフレーム１０に装着する際、第１２図に示すように、伸縮性の良好な編地を下方側に引っ張りながら、一対の係止板２１をフレーム１０における下段の横フレーム１２の深溝１２ｃに差し込むと、本体カバー２０がフレーム１０に密着した状態で装着され、フレーム１０に対する本体カバー２０のずり上がりも阻止される。
【００２２】
前記連結手段３は、第６図、第８図及び第９図に示すように、テープ状の基布３１ａに多数のエレメント３１ｂが装着された一対のファスナー要素３１と、双方のファスナー要素３１のエレメント３１ｂを相互に歯合させるスライダ３２とからなるスライドファスナーによって形成されており、スライダ３２を備えた一方のファスナー要素３１及びスライダを備えていない他方のファスナー要素３１の双方が、その基布３１ａ部分で本体カバー２０の両側端部にそれぞれ縫いつけられている。
【００２３】
スライダ３２を備えた一方のファスナー要素３１及びスライダを備えていない他方のファスナー要素３１は、本体部２における一側端部と他側端部とでは相互に反転した状態に配置されており、スライダ３２を下から上へスライドさせることによって、ファスナー要素３１間で相互のエレメント３１ｂ同士を歯合させ、スライダ３２を上から下へスライドさせることによってエレメント３１ｂ同士の歯合を解除するように、双方のファスナー要素３１が本体部２に取り付けられている。
【００２４】
従って、連結しようとする一方の簡易間仕切り１の一側端部に取り付けられたスライダ３２を備えた一方のファスナー要素３１のエレメント３１ｂと、他方の簡易間仕切り１の他側端部に取り付けられたスライダを備えていない他方のファスナー要素３１のエレメント３１ｂとを、スライダ３２をスライドさせることによって歯合させるだけで、例えば、第１３図及び第１４図に示すように、一又は複数の簡易間仕切り１を簡単に連結することができる。
【００２５】
この簡易間仕切り１には、第１５図に示すように、本体カバー２０の両側端部にそれぞれ取り付けられた連結手段３、即ち、スライダ３２を備えたファスナー要素３１及びスライダを備えていないファスナー要素３１を隠蔽するためのカバー部材４０が着脱自在に装着されるようになっている。
【００２６】
このカバー部材４０は、第１５図及び第１６図に示すように、筒状のエンドカバー４１と、このエンドカバー４１の上端部に嵌着されるエンドキャップ４２とから構成されており、エンドカバー４１の内側のフラットな側面には、ファスナー要素３１の基布３１ａ部分を差し込むことができるように、その全長にわたってスリット４１ａが形成されている。
【００２７】
従って、上端部にエンドキャップ４２が嵌着されたエンドカバー４１を、ファスナー要素３１、３１の上端部からその基布３１ａ部分をスリット４１ａに差し込むようにして、エンドカバー４１内にエレメント３１ｂ部分を挿入すると、第１７図及び第１８図に示すように、ファスナー要素３１、３１の上端部がエンドキャップ４２に当接し、ファスナー要素３１、３１及びスライダ３２が略隠蔽された状態に装着される。
【００２８】
以上のように構成された簡易間仕切り１は、第１９図に示すように、単に直列に連結したり、第２０図及び第２１図に示すように、十字状やＴ字状に連結したり、第２２図に示すように、放射状に連結したりすることによって、室内を自由自在に仕切ることが可能となる。
【００２９】
なお、この簡易間仕切り１を単独で使用するような場合や、複数の簡易間仕切り１を連結した場合であっても、その使用態様によっては、十分な自立安定性を確保することができない場合があるので、そのような場合は、例えば、第１９図〜第２１図に示すように、必要に応じて、アジャスタ１５を介して脚ベース１６を縦フレーム１１に適宜取り付ければよい。
【００３０】
以上のように、この簡易間仕切り１は、本体部２の両側端部に取り付ける連結手段３をスライドファスナーによって形成しているので、複数の簡易間仕切り１を簡単かつ確実に連結することができると共に、一旦連結すると外れることがなく、連結手段として面ファスナーを使用した従来の簡易間仕切りのように、衣服が引っかかったり、衣服に損傷を与えたりするおそれもない。
【００３１】
また、連結手段３としてスライドファスナーを使用しているので、連結しようとする簡易間仕切り１間で、その連結角度が制限を受けることがなく、しかも、連結した状態で自由に連結角度を変えることもできる。
【００３２】
従って、面ファスナーによって連結する従来の簡易間仕切りとは異なり、例えば、第２３図に示すように、連結された４枚の簡易間仕切り１を、その連結部において順次屈曲させることによって矩形状の閉空間に区画し、一端側の１枚の簡易間仕切り１を扉として開閉させることも可能である。なお、このように、簡易間仕切り１を扉として使用する場合は、フロア上を移動させなければならない、扉として使用する簡易間仕切り１の先端側のアジャスタ１５に代えてアジャスト機能（高さ調整機能）を備えたキャスタを取り付けておくことが望ましい。
【００３３】
また、この簡易間仕切り１は、スライダ３２を備えたファスナー要素３１及びスライダを備えていないファスナー要素３１の双方を本体部２の両側端部にそれぞれ取り付けてあるので、第１９図に示すように、単に複数の簡易間仕切り１を直列に連結するだけでなく、第２０図〜第２２図に示すように、一枚の簡易間仕切り１の一方の側端部に複数の簡易間仕切り１を連結することが可能となり、室内を区画するバリエーションが広がるという効果が得られる。
【００３４】
また、この簡易間仕切り１は、スライダ３２を下から上へスライドさせることによって、ファスナー要素３１間で相互のエレメント３１ｂ同士を歯合させ、スライダ３２を上から下へスライドさせることによってエレメント３１ｂ同士の歯合を解除するようになっているので、隣接する簡易間仕切り１の高さが異なる場合、即ち、ファスナー要素３１の全長が相互に異なる場合でも、双方のファスナー要素３１の下端部は必ず一致するので、支障なく確実に連結することができる。
【００３５】
また、この簡易間仕切り１には、上述したように、本体部２の両側端部にそれぞれ取り付けたファスナー要素３１を覆うカバー部材４０が着脱自在に装着されるようになっているので、連結に使用されないファスナー要素３１をカバー部材４０によって隠蔽しておくと、連結に使用されないファスナー要素３１の存在によって、簡易間仕切り１の外観が損なわれることもない。
【００３６】
また、この簡易間仕切り１は、本体部２がフレーム１０とこのフレーム１０に装着される袋状の本体カバー２０とによって構成されており、本体カバー２０に連結手段３としてのファスナー要素３１が取り付けられているので、簡易間仕切り１全体が軽量化されると共に、ファスナー要素３１の取り付けを容易に行うことができ、しかも、本体カバー２０が汚れたときには、フレーム１０から外して簡単に洗濯することができる。
【００３７】
なお、上述した実施形態では、フレーム１０を構成している上下２段の横フレーム１２をアルミ押出材によって形成しているが、これに限定されるものではなく、上段の横フレーム１２を、一対の縦フレーム１１と同様に、樹脂コーティングパイプによって形成することも可能である。
【００３８】
また、上述した実施形態では、本体部２におけるフレーム１０の内側が完全な空間となっているが、上段の横フレーム１２の深溝１２ｃ及び下段の横フレーム１２の浅溝１２ｃに、上下端部を差し込むようにして、樹脂パネルや段ボール等の板材をフレーム１０に装着することも可能である。
【００３９】
また、上述した実施形態では、スライダ３２を備えた一方のファスナー要素３１及びスライダを備えていない他方のファスナー要素３１の双方を本体部２の両側端部にそれぞれ取り付けるようにしているが、これに限定されるものではなく、複数の簡易間仕切りを直列に連結するのであれば、本体部の一側端部にスライダを備えた一方のファスナー要素を、本体部の他側端部にスライダを備えていない他方のファスナー要素をそれぞれ取り付ければよく、また、本体部の一側端部及び他側端部にそれぞれ３以上のファスナー要素を取り付けることも可能である。
【００４０】
また、上述した実施形態では、スライダ３２を備えた一方のファスナー要素３１とスライダを備えていない他方のファスナー要素３１とが、本体部２における一側端部と他側端部とでは相互に反転した状態に配置されているが、これに限定されるものではなく、特に、本体カバー２０の表裏両面に同一デザインが施される場合は、本体部２の一側端部と他側端部とでファスナー要素３１の配置を相互に反転させる必要はない。
【００４１】
また、上述した実施形態では、高さの異なる簡易間仕切りを連結することができるように、スライダ３２を下から上へスライドさせることによって、ファスナー要素３１間で相互のエレメント３１ｂ同士を歯合させ、スライダ３２を上から下へスライドさせることによってエレメント３１ｂ同士の歯合を解除するように、双方のファスナー要素３１を本体部２に取り付けているが、同一高さの簡易間仕切り１を連結する場合には、ファスナー要素３１を上下逆にして取り付けてもよいことはいうまでもない。
【００４２】
また、上述した実施形態では、フレーム１０及びこのフレーム１０に装着される袋状の本体カバー２０によって本体部２を形成しているが、これに限定されるものではなく、パネル状の本体部の両側端部にスライドファスナーによって形成された連結手段を取り付けることも可能である。
【００４３】
【産業上の利用可能性】
以上のように、この発明にかかる簡易間仕切りは、レイアウトを頻繁に変更するような室内を仕切る場合に有用であり、特に、設置した簡易間仕切りの一部を部分的に動かしたいような場合に適している。
【図面の簡単な説明】
第１図は、この発明にかかる簡易間仕切りの好ましい実施形態を示す斜視図、第２図は同上の簡易間仕切りを示す一部切欠平面図、第３図は同上の簡易間仕切りを示す側面図、第４図は同上の簡易間仕切りを示す一部切欠正面図、第５図は同上の簡易間仕切りにおける本体カバーを外した状態を示す側面図、第６図は同上の簡易間仕切りにおける本体カバーを示す一部切欠斜視図、第７図は同上の本体カバーの下端部を示す拡大断面図、第８図は第６図のα部分を示す拡大図、第９図は第６図のβ部分を示す拡大図、第１０図は同上の簡易間仕切りにおけるフレームを示す分解斜視図、第１１図は同上のフレームを構成している横フレームを示す断面図、第１２図は同上の横フレームに対する本体カバーの係合状態を示す断面図、第１３図及び第１４図は同上の簡易間仕切りの連結部分を示す断面図、第１５図は同上の簡易間仕切りにおけるカバー部材を示す斜視図、第１６図は同上のカバー部材を構成しているエンドカバーを示す断面図、第１７図は同上のカバー部材を装着した状態を示す一部切欠側面図、第１８図は同上のカバー部材を装着した状態を示す断面図、第１９図〜第２３図は同上の簡易間仕切りの使用態様を示す斜視図、第２４図は従来の簡易間仕切りを示す斜視図、第２５図は従来の簡易間仕切りにおける連結部分を示す断面図、第２６図は従来の他の簡易間仕切りにおける連結部分を示す図である。
【図１】
0003704526.tif 000002
【図２】
0003704526.tif 000003
【図３】
0003704526.tif 000004
【図４】
0003704526.tif 000005
【図５】
0003704526.tif 000006
【図６】
0003704526.tif 000007
【図７】
0003704526.tif 000008
【図８】
0003704526.tif 000009
【図９】
0003704526.tif 000010
【図１０】
0003704526.tif 000011
【図１１】
0003704526.tif 000012
【図１２】
0003704526.tif 000013
【図１３】
0003704526.tif 000014
【図１４】
0003704526.tif 000015
【図１５】
0003704526.tif 000016
【図１６】
0003704526.tif 000017
【図１７】
0003704526.tif 000018
【図１８】
0003704526.tif 000019
【図１９】
0003704526.tif 000020
【図２０】
0003704526.tif 000021
【図２１】
0003704526.tif 000022
【図２２】
0003704526.tif 000023
【図２３】
0003704526.tif 000024
【図２４】
0003704526.tif 000025
【図２５】
0003704526.tif 000026
【図２６】
0003704526.tif 000027